(57)【要約】【課題】縦樋内に流れ込む雪解け水が縦樋内部で凍結し、凍結した氷が膨張し破裂して縦樋を損壊するのを防止する。【解決手段】縦樋凍結防止ソケットＳを適用する縦樋Ｔは、所定長さ位置で横割りして軒樋Ｐ側の上部樋１０と地面側の下部樋２０の２つに分割し、それぞれ壁体Ｗに固設した支持具１１で支持して直列に配設し、下部樋の上端２０ａに上部樋から流れ落ちる雪解け水を受ける冷凍桶１５を連結し、その流水受部１５ａに蓋板２５を載せて脱着自在に冷凍桶に被せる一方、蓋板の逃げ孔３５に上部樋の下端１０ａを遊嵌して冷凍桶内に入り込んだ状態で縦樋の上部樋と下部樋の間に設置する。そこで、縦樋の下部樋は、上端２０ａに連結した縦樋凍結防止ソケットの設置高さが設置地域の例年の積雪高さを超える長さに設定する。【選択図】          図１
2016132921.tif 000002
【特許請求の範囲】
【請求項１】
所定高さ位置で横割りして軒樋側の上部樋と地面側の下部樋の２つに分割し、建物の壁体に固設した支持具で支持して直列に配設した縦樋の前記上部樋と前記下部樋の間に設置する縦樋凍結防止ソケットであって、
前記上部樋から流れ落ちる雪解け水を受け止める底面に排水口を開けた桶状の流水受部と、その流水受部の前記排水口から突設して先端を前記下部樋に嵌着する連結管部とからなる冷凍桶と、
中心に前記上部樋の下端を遊嵌する逃げ孔を開けたリング板状をなし、前記流水受部に載せた状態で被せる蓋板を備え、
縦樋の前記下部樋を、その上端に連結した縦樋凍結防止ソケットの設置高さが設置地域の例年の積雪高さを超える長さに設定することを特徴とする、縦樋凍結防止ソケット。
【請求項２】
前記冷凍桶内には、前記流水受部の底面に網目部材を敷いて構成してなることを特徴とする、請求項１に記載の縦樋凍結防止ソケット。
【発明の詳細な説明】
【技術分野】
【０００１】
本発明は、建物の軒樋を伝って縦樋に流れ落ちる雪解け水が気温の低下と共に縦樋内部で凍結膨張して縦樋を損壊するのを防止する縦樋凍結防止ソケットに関する。
【背景技術】
【０００２】
一般に、冬季は、建物の屋根縁に取り付けられた軒樋に集められる雪解け水が、軒樋を伝って縦樋に流れ落ち、その縦樋を通して排水するが、気温が低下すると縦樋内で凍り始め、寒さによっては、縦樋内部で凍った氷が膨張し破裂することにより縦樋を損壊する問題があった。
【０００３】
そこで、従来、例えば図７に示すように、縦樋１と地中に埋設した埋設管２との接合部３の外周に円筒状の保護カバー４を装着し、接合部３の外周に密閉した内部空間、即ち空気層５を形成し、この空気層５が断熱機能を発揮して縦樋１と埋設管２との接合部３内で凍った氷が膨張して接合部３を損壊するのを防止する縦樋保護カバーが提案されている。
【先行技術文献】
【特許文献】
【０００４】
【特許文献１】特開２００９−１５０１５３号公報
【発明の概要】
【発明が解決しようとする課題】
【０００５】
しかし、従来の縦樋保護カバーは、縦樋１と地中に埋設した埋設管２との接合部３の外周で地表近くに装着する構造であるから、豪雪地域はもちろん都市部でも寒気の厳しい季節など、積雪量が多いときに雪に埋もれて断熱機能も低下し、場合によっては強い積雪圧を受けて縦樋１ごと損壊するおそれがある。
【０００６】
さらに、従来の縦樋保護カバーは、縦樋１と地中に埋設した埋設管２との接合部３を円筒状保護カバー４で覆って密閉するから、冷え込みの厳しい条件下では、保護カバー４内に流れ込む水が凍結して膨張し、保護カバー４内で破裂して縦樋１まで損壊するおそれがあるという課題があった。
【０００７】
そこで、本発明の目的は、縦樋内に流れ込む雪解け水が縦樋内部で凍結し、凍結した氷が膨張し破裂して縦樋を損壊するのを防止することにある。
【課題を解決するための手段】
【０００８】
請求項１に記載の発明は、たとえば以下に示す図示実施の形態のとおり、所定高さ位置で横割りして軒樋側の上部樋１０と地面側の下部樋２０の２つに分割し、建物の壁体に固設した支持具１１で支持して直列に配設した縦樋Ｔの前記上部樋１０と前記下部樋２０の間に設置する縦樋凍結防止ソケットＳであって、前記上部樋１０から流れ落ちる雪解け水を受け止める底面１９に排水口１２を開けた桶状の流水受部１５ａと、その流水受部１５ａの前記排水口１２から突設して先端を前記下部樋２０に嵌着する連結管部１５ｂとからなる冷凍桶１５と、中心に前記上部樋１０の下端１０ａを遊嵌する逃げ孔３５を開けたリング板状をなし、前記流水受部１５ａに載せた状態で被せる蓋板２５を備え、縦樋Ｔの前記下部樋２０を、その上端２０ａに連結した縦樋凍結防止ソケットＳの設置高さが設置地域の例年の積雪高さを超える長さに設定することを特徴とする。
【０００９】
請求項２に記載の発明は、請求項１に記載の縦樋凍結防止ソケットＳにおいて、たとえば以下に示す図示実施の形態のとおり、前記冷凍桶１５内には、前記流水受部１５ａの底面１９に網目部材３０を敷いて構成してなることを特徴とする。
【発明の効果】
【００１０】
請求項１に記載の発明によれば、適用する縦樋を、上部樋と下部樋を嵌め合せて直接繋がず、２つに分割して直列に配設し、下部樋の上端に連結管部を嵌着して冷凍桶を連結する一方、蓋板を流水受部に載せて脱着自在に冷凍桶に被せる一方、この蓋板の逃げ孔に上部樋の下端を遊嵌し冷凍桶内に入り込ませた状態で上部樋と下部樋の間に設置するから、冬季に屋根上の積雪とか氷が日中の太陽光を受けて溶け出し、雪解け水となって軒樋を伝わり縦樋へ流れ込むと、その雪解け水を流水受部の底面で受け止めて冷凍桶内に滞留する一方、外気の気温の低下と共に積極的に凍らし、経時、冷凍桶内が雪解け水の凍りで一杯になると、蓋板を押し上げて冷凍桶から溢れ出し、このように縦樋に流れ込む雪解け水を縦樋凍結防止ソケット内に導いて、そこで集中的に凍結させて外部に排出することで、縦樋凍結防止ソケットの設置位置以外の縦樋内部で雪解け水が凍結膨張する余地を少なくし、その結果、縦樋内に流れ込む雪解け水が縦樋内部で凍結し、凍結した氷が膨張して破裂して縦樋まで損壊するのを防止することができる。
【００１１】
さらに、請求項１に記載の発明によれば、蓋板を、流水受部に載せるだけの状態にして脱着自在に冷凍桶に被せる一方、この蓋板の逃げ孔に上部樋の下端を遊嵌し冷凍桶内に入り込ませた構造だから、流れ込む雪解け水を気温の低下に任せて積極的に凍らし、経時、雪解け水の氷で一杯になっても、蓋板を押し上げて冷凍桶内から溢れ出すことで、雪解け水がソケット内で凍結した氷が膨張し破裂してソケット自体を損壊するのを防止することができる。
【００１２】
加えて、請求項１に記載の発明によれば、縦樋凍結防止ソケットを適用する縦樋の下部樋が、その上端に連結した縦樋凍結防止ソケットの設置高さが設置地域における例年の積雪高さを超える長さに設定してなるから、豪雪地域はもちろん都市部でも寒気の厳しい季節など、積雪量が多いときでも、ソケットごと縦樋が雪に埋もれることがなく、これにより、凍結防止機能の働きが低下し、場合によっては強い積雪圧を受けて縦樋ごと損壊するのを防止することができる。
【００１３】
また、請求項２に記載の発明によれば、冷凍桶の流水受部に蓋板を被せて、ゴミや塵等の異物の侵入を防いで雪解け水の凍結促進効果を妨げられるのを防止することができ、また、冷凍桶内には、流水受部の底面に網目部材を敷いているから、細かな網目の働きにより落ち葉等のゴミ詰りを防止することができるだけでなく、雪解け水の凍結促進効果を増進させることもできる。
【図面の簡単な説明】
【００１４】
【図１】本発明の一例である縦樋凍結防止ソケットの構造を示す縦断面図
【図２】縦樋と共に示す縦樋凍結防止ソケットの分解斜視図
【図３】向きを変えて示す縦樋凍結防止ソケットの分解斜視図
【図４】縦樋凍結防止ソケットの組立斜視図
【図５】雪解け水が凍結膨張して蓋板を押し上げた状態を示す正面図
【図６】縦樋凍結防止ソケットの使用状態を示す正面図
【図７】従来の竪樋の構造を示す縦断面図
【発明を実施するための形態】
【００１５】
以下、図面を参照しつつ、本発明の実施の形態について説明する。
【００１６】
図１は、本発明の一例である縦樋凍結防止ソケットの構造を示し、図６にその使用状態を示している。本発明の縦樋凍結防止ソケットＳを適用する縦樋Ｔは、所定高さ位置で横割りして軒樋Ｐ側の上部樋１０と地面側の下部樋２０の上下に２分割し、上部樋１０と下部樋２０の間に縦樋凍結防止ソケットＳを設置する空間を開けて直列に配置し、それぞれ壁体Ｗに固設した支持具１１で支持している。
【００１７】
図示例の縦樋凍結防止ソケットＳは、図１〜図４に示すように、上部樋１０から流れ落ちる雪解け水を受け止めて凍らす冷凍桶１５と、冷凍桶１５に被せる蓋板２５と、冷凍桶１５の底面に敷く網目部材３０とからなる。
【００１８】
冷凍桶１５は、上側を開口した円形桶状をなし底面１９に排水口１２を開けた流水受部１５ａと、流水受部１５ａの排水口１２から円筒状に突設する連結管部１５ｂからなり、連結管部１５ｂを下部樋２０の上端２０ａに嵌着する。冷凍桶１５の流水受部１５ａの底面１９に網目部材３０を敷いている。蓋板２５は、中心に上部樋１０の下端１０ａを遊嵌する逃げ孔３５を開けたリング状板部２５ａと、リング状板部２５ａの外周縁に沿って環状に形成した係止リブ２５ｂからなり、リング状板部２５ａを流水受部１５ａの開口縁１５ｃに載せただけの状態で蓋板２５を脱着自在に冷凍桶１５に被せる構成になっている。
【００１９】
以上のように、本発明において、縦樋凍結防止ソケットＳを適用する縦樋Ｔは、所定長さ位置で横割りして軒樋Ｐ側の上部樋１０と地面側の下部樋２０の２つに分割し、それぞれ壁体Ｗに固設した支持具１１で支持して直列に配設し、下部樋２０の上端２０ａに上部樋１０から流れ落ちる雪解け水を受け止める冷凍桶１５を連結し、その流水受部１５ａに蓋板２５を載せて脱着自在に冷凍桶１５に被せる一方、上部樋１０の下端１０ａを蓋板２５の逃げ孔３５に遊嵌して冷凍桶１５内に入り込んだ状態で、縦樋Ｔの上部樋１０と下部樋２０の間に設置する。そこで、縦樋Ｔの下部樋２０は、その上端２０ａに連結した縦樋凍結防止ソケットＳの設置高さが設置地域における例年の積雪高さを超える長さに設定し、豪雪地域はもちろん都市部でも寒気の厳しい季節など、積雪量が多いときでも、ソケットＳごと縦樋Ｔが雪に埋もれることがないように構成する。
【００２０】
即ち、本発明の縦樋凍結防止ソケットＳは、前提として、適用する縦樋Ｔを、上部樋１０と下部樋２０を嵌め合せて直接繋がず、２つに分割して直列に配設し、下部樋２０の上端２０ａに連結管部１５ｂを嵌着して冷凍桶１５を連結する一方、蓋板２５を流水受部１５ａに載せて脱着自在に冷凍桶１５に被せる一方、この蓋板２５の逃げ孔３５に上部樋１０の下端１０ａを遊嵌し冷凍桶１５内に入り込ませた状態で上部樋１０と下部樋２０の間に設置するから、冬季に屋根上の積雪とか氷が日中の太陽光を受けて溶け出し、雪解け水となって軒樋Ｐを伝わり縦樋Ｔへ流れ込むと、その雪解け水を、流水受部１５ａの底面１９で受け止めて冷凍桶１５内に滞留する一方、外気の気温の低下と共に積極的に凍らし、経時、冷凍桶１５内が雪解け水の氷ｉで一杯になると、図５に示すように、蓋板２５を押し上げて冷凍桶１５から溢れ出し、このように縦樋Ｔに流れ込む雪解け水を縦樋凍結防止ソケットＳ内に導いて、そこで集中的に凍結させて外部に排出することで、縦樋凍結防止ソケットＳの設置位置以外の縦樋Ｔ内部で雪解け水が凍結膨張する余地を少なくし、その結果、縦樋Ｔ内に流れ込む雪解け水が縦樋Ｔの内部で凍結し、凍結した氷ｉが膨張し破裂して縦樋まで損壊するのを防止することができる。
【００２１】
また、縦樋凍結防止ソケットＳは、蓋板２５を、流水受部１５ａに載せるだけの状態にして脱着自在に冷凍桶１５に被せる一方、この蓋板２５の逃げ孔３５に上部樋１０の下端１０ａを遊嵌し冷凍桶１５内に入り込ませた構造だから、流れ込む雪解け水を気温の低下に任せて積極的に凍らし、経時、雪解け水の氷で一杯になっても、蓋板２５を押し上げて冷凍桶１５内から溢れ出すことで、雪解け水がソケットＳ内で凍結した氷ｉが膨張し破裂してソケット自体を損壊するのを防止することもできる。
【００２２】
更に、縦樋凍結防止ソケットＳは、それを適用する縦樋Ｔの下部樋２０が、その上端２０ａに連結した縦樋凍結防止ソケットＳの設置高さが設置地域における例年の積雪高さを超える長さに設定するから、豪雪地域はもちろん都市部でも寒気の厳しい季節など、積雪量が多いときでも、ソケットＳごと縦樋Ｔが雪に埋もれることがなく、これにより、凍結防止機能の働きが低下し、場合によっては強い積雪圧を受けて縦樋ごと損壊するのを防止することができる。
【００２３】
そして、縦樋凍結防止ソケットＳは、冷凍桶１５の流水受部１５ａに蓋板２５を被せ、ゴミや塵等の異物の侵入を防いで雪解け水の凍結促進効果が妨げられるのを防止することができ、また、冷凍桶１５内には、流水受部１５ａの底面１９に網目部材３０を敷いているから、細かな網目の働きにより落ち葉等のゴミ詰りを防止するだけでなく、雪解け水の凍結促進効果を増進させることができる。
【符号の説明】
【００２４】
Ｐ                軒樋
Ｓ                縦樋凍結防止ソケット
Ｔ                縦樋
Ｗ                壁体
１０              上部樋
１１              支持具
１２              排水口
１５              冷凍桶
１５ａ            流水受部
１５ｂ            連結管部
１９              流水受部の底面
２０              下部樋
２５              蓋板
３０              網目部材
【図１】
2016132921.tif 000003
【図２】
2016132921.tif 000004
【図３】
2016132921.tif 000005
【図４】
2016132921.tif 000006
【図５】
2016132921.tif 000007
【図６】
2016132921.tif 000008
【図７】
2016132921.tif 000009